(57)【要約】【課題】スライドショー再生内容の設定を簡便に行う。【解決手段】撮像装置１０であって、撮像部１により撮像された複数の被写体に係る画像データ５ａを記録する記録媒体５と、記録媒体に記録された複数の画像データを再生表示する処理、当該画像データの再生表示過程を記録させる処理、並びに記録された画像データの再生表示過程に基づいて当該画像データをスライドショー再生表示する処理を行うＣＰＵ８１とを備えている。【選択図】図２
2008085654.tif 000002
【特許請求の範囲】
【請求項１】
複数の画像情報を記録する画像記録手段と、
前記画像記録手段に記録された前記複数の画像情報を再生表示する画像再生表示制御手段と、
前記画像再生表示制御手段により再生表示された複数の画像情報の再生表示過程情報を記録させる再生表示過程記録手段と、
前記再生表示過程記録手段により記録された前記画像情報の再生表示過程情報に基づいて、当該画像情報をスライドショー再生表示するスライドショー再生表示制御手段とを備えることを特徴とする画像表示装置。
【請求項２】
前記画像再生表示制御手段による前記画像情報の再生表示時間を計測する再生表示時間計測手段を備え、
前記再生表示過程記録手段は、前記再生表示時間計測手段により計測された前記再生表示時間を前記再生表示過程情報の一部として記録させることを特徴とする請求項１に記載の画像表示装置。
【請求項３】
前記画像再生表示制御手段は、
前記画像記録手段に記録された前記複数の画像情報の中から画像情報を選択する画像選択手段と、
前記画像選択手段により選択された前記画像情報を再生表示させる選択画像再生表示制御手段とを備え、
前記再生表示過程記録手段は、
前記選択画像再生表示制御手段による前記画像情報の再生表示過程情報を記録させることを特徴とする請求項１又は２に記載の画像表示装置。
【請求項４】
前記画像選択手段による前記画像情報の選択に関連する画像選択関連画面を表示させる関連画面表示制御手段と、
前記関連画面表示制御手段による前記画像選択関連画面の表示中は、前記再生表示過程記録手段による前記画像情報の再生表示過程情報の記録を停止させる記録停止制御手段とを備えることを特徴とする請求項３に記載の画像表示装置。
【請求項５】
前記選択画像再生表示制御手段により表示される前記再生画像の一部分をズーム表示させるズーム表示制御手段を備え、
前記再生表示過程記録手段は、前記ズーム表示制御手段による前記再生画像の一部分のズーム表示を記録させることを特徴とする請求項３又は４に記載の画像表示装置。
【請求項６】
前記再生表示過程記録手段により記録された前記画像情報の再生表示過程情報を編集する再生表示過程編集手段を備えることを特徴とする請求項３〜５の何れか一項に記載の画像表示装置。
【請求項７】
前記再生表示過程編集手段は、前記画像表示装置に前記再生画像に重畳して表示される文字情報を編集する文字情報編集手段を備えることを特徴とする請求項６に記載の画像表示装置。
【請求項８】
前記再生表示過程編集手段は、前記画像表示装置に前記再生画像とは別に表示される文字情報を含む画像を生成する文字画像生成手段を備えることを特徴とする請求項６又は７に記載の画像表示装置。
【請求項９】
複数枚の被写体を撮像して画像情報を出力する撮像手段を備え、
前記画像記録手段は、前記撮像手段から出力された前記複数の画像情報を記録することを特徴とする請求項１〜８の何れか一項に記載の画像表示装置。
【請求項１０】
複数の画像情報を記録する画像記録手段を備える画像表示装置に、
前記画像記録手段に記録された前記複数の画像情報を再生表示する機能と、
再生表示された複数の画像情報の再生表示過程情報を記録させる機能と、
記録された前記画像情報の再生表示過程情報に基づいて、当該画像情報をスライドショー再生表示する機能とを実現させることを特徴とするプログラム。
【発明の詳細な説明】
【技術分野】
【０００１】
本発明は、画像をスライドショー再生する画像表示装置、及びそのプログラムに関する。
【背景技術】
【０００２】
従来、メモリに記録されている複数の静止画像や動画像を自動的に再生するスライドショー機能を具備するデジタルカメラ等が開発されている。
スライドショーの再生内容は、例えばパーソナルコンピュータを用いて設定する方法が一般的に知られているが、近年では、スライドショーの再生順序等の編集作業をカメラ単体で効率良く行うことができる撮像装置が提案されている（例えば、特許文献１参照）。
【特許文献１】特開平１１−３３１７３９号公報
【発明の開示】
【発明が解決しようとする課題】
【０００３】
ところで、プレゼンテーションを行う場合、スライド毎に再生内容を詳細に設定する必要が生じる場合があるが、上記特許文献１等の撮像装置だけでは、表示される写真毎の再生時間の変更、画像中の一部分のズーム操作、表やテキストの追加表示等を簡便に行うことができないといった問題がある。
【０００４】
そこで、本発明の課題は、スライドショーの再生内容の設定を簡便に行うことができる画像表示装置、及びそのプログラムを提供することである。
【課題を解決するための手段】
【０００５】
請求項１に記載の発明の画像表示装置（例えば、図１の撮像装置１０等）は、
複数の画像情報を記録する画像記録手段（例えば、図２の記録媒体５等）と、
前記画像記録手段に記録された前記複数の画像情報を再生表示する画像再生表示制御手段（例えば、図２のＣＰＵ８１等）と、
前記画像再生表示制御手段により再生表示された複数の画像情報の再生表示過程情報を記録させる再生表示過程記録手段（例えば、図２のＣＰＵ８１等）と、
前記再生表示過程記録手段により記録された前記画像情報の再生表示過程情報に基づいて、当該画像情報をスライドショー再生表示するスライドショー再生表示制御手段（例えば、図２のＣＰＵ８１等）とを備えることを特徴としている。
【０００６】
請求項２に記載の発明は、請求項１に記載の画像表示装置において、
前記画像再生表示制御手段による前記画像情報の再生表示時間を計測する再生表示時間計測手段（例えば、図２の計時部６等）を備え、
前記再生表示過程記録手段は、前記再生表示時間計測手段により計測された前記再生表示時間を前記再生表示過程情報の一部として記録することを特徴としている。
【０００７】
請求項３に記載の発明は、請求項１又は２に記載の画像表示装置において、
前記画像再生表示制御手段は、
前記画像記録手段に記録された前記複数の画像情報の中から画像情報を選択する画像選択手段（例えば、図２の操作入力部４１等）と、
前記画像選択手段により選択された前記画像情報を再生表示させる選択画像再生表示制御手段（例えば、図２のＣＰＵ８１等）とを備え、
前記再生表示過程記録手段は、
前記選択画像再生表示制御手段による前記画像情報の再生表示過程情報を記録させることを特徴としている。
【０００８】
請求項４に記載の発明は、請求項３に記載の画像表示装置において、
前記画像選択手段による前記画像情報の選択に関連する画像選択関連画面を表示させる関連画面表示制御手段（例えば、図２のＣＰＵ８１等）と、
前記関連画面表示制御手段による前記画像選択関連画面の表示中は、前記再生表示過程記録手段による前記画像情報の再生表示過程の記録を停止させる記録停止制御手段（例えば、図２のＣＰＵ８１等）とを備えることを特徴としている。
【０００９】
請求項５に記載の発明は、請求項３又は４に記載の画像表示装置において、
前記選択画像再生表示制御手段により表示される前記再生画像の一部分をズーム表示させるズーム表示制御手段（例えば、図８のＣＰＵ８１等）を備え、
前記再生表示過程記録手段は、前記ズーム表示制御手段による前記再生画像の一部分のズーム表示を記録させることを特徴としている。
【００１０】
請求項６に記載の発明は、請求項３〜５の何れか一項に記載の画像表示装置において、
前記再生表示過程記録手段により記録された前記画像情報の再生表示過程を編集する再生表示過程編集手段（例えば、図２のＣＰＵ８１等）を備えることを特徴としている。
【００１１】
請求項７に記載の発明は、請求項６に記載の画像表示装置において、
前記再生表示過程編集手段は、前記画像表示装置に前記再生画像に重畳して表示される文字情報を編集する文字情報編集手段（例えば、図２のＣＰＵ８１等）を備えることを特徴としている。
【００１２】
請求項８に記載の発明は、請求項６又は７に記載の画像表示装置において、
前記再生表示過程編集手段は、前記画像表示装置に前記再生画像とは別に表示される文字情報を含む画像を生成する文字画像生成手段（例えば、図２のＣＰＵ８１等）を備えることを特徴としている。
【００１３】
請求項９に記載の発明は、請求項１〜８の何れか一項に記載の画像表示装置において、
複数枚の被写体を撮像して画像情報を出力する撮像手段（例えば、図２の撮像部１等）を備え、
前記画像記録手段は、前記撮像手段から出力された前記複数の画像情報を記録することを特徴としている。
【００１４】
請求項１０に記載の発明のプログラムは、
複数の画像情報を記録する画像記録手段（例えば、図２の記録媒体５等）を備える画像表示装置（例えば、図１の撮像装置１０等）に、
前記画像記録手段に記録された前記複数の画像情報を再生表示する機能と、
再生表示された複数の画像情報の再生表示過程情報を記録させる機能と、
記録された前記画像情報の再生表示過程情報に基づいて、当該画像情報をスライドショー再生表示する機能とを実現させることを特徴としている。
【発明の効果】
【００１５】
本発明によれば、所望の画像情報に係るスライドショーの再生内容の設定を簡便に行うことができる。
【発明を実施するための最良の形態】
【００１６】
以下に、本発明について、図面を用いて具体的な態様を説明する。ただし、発明の範囲は、図示例に限定されない。
図１は、本発明を適用した一実施形態のプレゼンテーションシステム１００を模式的に示す図である。
【００１７】
本実施形態のプレゼンテーションシステム１００は、例えば、静止画像や動画像の画像データの再生表示過程を記録して、当該再生表示過程に従って画像データをスライドショー再生するものであり、具体的には、図１に示すように、デジタルカメラ等の撮像装置１０と、ＬＣＤ等の画像表示装置２０等を備えて構成されている。
【００１８】
以下に、撮像装置１０について図２を参照して説明する。
図２は、撮像装置１０の概略構成を示すブロック図である。
図２に示すように、撮像装置１０は、例えば、被写体を撮像する撮像部１と、この撮像部１による被写体の撮像の際に駆動する撮像補助部２と、撮像部１により撮像された画像を表示する表示部３、当該撮像装置１０の所定操作を行うための操作部４と、画像データ５ａを記録する記録媒体５と、画像データ５ａの再生時間を計時する計時部６と、外部の画像表示装置２０等との接続用の外部接続端子７と、これら各部を制御する制御部８等を備えて構成されている。
【００１９】
撮像部（撮像手段）１は、例えば、フォーカス機能及びズーム機能を有し、複数の撮像レンズからなる撮像レンズ群１１と、この撮像レンズ群１１を通過した被写体像を二次元の画像信号に変換するＣＣＤ（Charge Coupled Device）やＣＭＯＳ（Complementary Metal-oxide Semiconductor）等からなる電子撮像部１２と、この電子撮像部１２から出力される画像信号に対して所定の画像処理を施す映像信号処理部１３と、画像処理後の画像信号を一時的に記憶する画像メモリ１４と、ＣＰＵ８１の制御下にて、電子撮像部１２及び映像信号処理部１３を制御するための撮影制御部１５等を備えている。
【００２０】
撮像補助部２は、例えば、撮像レンズ群１１に接続されたフォーカス機構部（図示略）を駆動させるためのフォーカス駆動部２１と、撮像レンズ群１１に接続されたズーム機構部（図示略）を駆動させるためのズーム駆動部２２と、ストロボ発光部２３を発光させるためのストロボ駆動部２４等を備えている。
これらフォーカス駆動部２１、ズーム駆動部２２及びストロボ駆動部２４は、例えば、撮影制御部１５に接続され、撮影制御部１５の制御下にて駆動するようになっている。
【００２１】
表示部３は、例えば、ＣＰＵ８１から適宜出力される表示データを一時的に保存するビデオメモリ（ＶＲＡＭ）を備える表示制御部３１と、この表示制御部３１からの出力信号に基づいて所定の画像を表示する液晶モニタ等の画像表示部３２等を備えている。
【００２２】
画像表示部３２は、後述する選択画像再生表示処理にて再生される再生画像を表示するようになっている。
また、画像表示部３２は、各種撮影画像のサムネイル画像一覧表示など、再生される画像データ５ａの選択に関連する画像選択関連画面（各種設定を行うメニュー画面も含む）を表示するようになっている。
画像選択関連画面としては、例えば、図示は省略するが、メニュー画面や、記録媒体５に記録された複数の画像データ５ａのサムネイル画像等の一覧表示画面や、画像データ５ａの再生回数の指定に係る回数指定画面等が挙げられる。
【００２３】
操作部４は、例えば、当該撮像装置１０の各部に設けられ、各種操作スイッチ等を備える操作入力部４１と、この操作入力部４１から入力された操作信号をＣＰＵ８１に入力するための入力回路４２等を備えている。
【００２４】
操作入力部４１は、例えば、撮像部１による被写体の撮像を指示するシャッター４１ａを備えている。
また、操作入力部４１は、例えば、画像の撮像に係る画像撮像モード、画像のスライドショー再生表示に係るスライドショー再生表示モード、画像の再生表示過程の記録に係る再生表示過程記録モード、再生表示過程を編集する再生表示過程編集モード等に切り替えて設定するためのモード設定キー４１ｂを備えている。
また、操作入力部４１は、例えば、画像選択手段として、記録媒体５に記録された画像データ５ａの中から所望の再生画像を選択したり、スライドショーのタイトルや再生画像に重畳して表示されるテキストや再生時間等を入力指定するためのカーソルキー４１ｃを備えている。
【００２５】
記録媒体５は、画像記録手段として、撮像部１から出力された複数の画像データ５ａを記録するものである。例えば、図３（ａ）〜（ｃ）並びに図４（ａ）〜（ｃ）に示すように、ファイル名「CIMG0001.jpg」、「CIMG0003.jpg」、「CIMG0005.jpg」、「CIMG0006.jpg」等の静止画像データや、「CIMG0002.AVI」、「CIMG0004.AVI」等の動画像データが記録されている。
また、画像データ５ａは、例えば、Ｅｘｉｆ形式の画像情報として記録されている。そして、ＣＰＵ８１の制御下にて、再生表示過程記録処理（後述）が実行されることにより、画像データ５ａには、計時部６により計時された再生時間や再生回数等が付加情報として記録されるようになっている（図５及び図６参照）。
【００２６】
なお、画像データ５ａのファイル名は、例えば、当該撮像装置１０にて撮像され記録媒体５に記録された順に小さい方から付けられるようになっている（図３（ａ）〜（ｃ）及び図４（ａ）〜（ｃ）参照）。そして、再生表示過程記録処理にて選択された画像データ５ａを再生したり、再生表示過程編集処理にて再生表示過程を編集することにより、ファイル名を変更可能となっている。
また、静止画像データや動画像データは、上記例示したものに限られるものではなく、例えば、他の形式（拡張子）の画像データ５ａであっても良い。
【００２７】
また、記録媒体５としては、例えば、カード型の不揮発性メモリ（フラッシュメモリ）やハードディスク等を適用することができる。
【００２８】
計時部６は、例えば、タイマーや計時回路等を備えて構成され、再生表示過程記録処理（後述）にて、ＣＰＵ８１の制御下にて再生される画像データ５ａの再生表示時間を計測する再生表示時間計測手段を構成している。
【００２９】
外部接続端子７は、例えば、当該撮像装置１０がセットされるクレードル等を介して画像表示装置２０とデータの送受信可能に接続するものである。即ち、ＣＰＵ８１によるスライドショー再生処理にて再生される画像データ５ａは、外部接続端子７を介して画像表示装置２０に送信されるようになっている。
【００３０】
制御部８は、例えば、撮像装置１０の各部を統括的に制御するＣＰＵ８１と、ＣＰＵ８１の動作に必要な各種プログラムやデータを記憶するプログラムメモリ８２と、画像データ５ａ記憶用の内蔵フラッシュメモリであるデータメモリ８３等を備えている。
【００３１】
プログラムメモリ８２は、例えば、選択画像再生表示プログラム８２ａ、再生表示過程記録プログラム８２ｂ、再生表示過程編集プログラム８２ｃ、スライドショー再生表示プログラム８２ｄ、関連画面表示プログラム８２ｇ等を記憶している。
【００３２】
選択画像再生表示プログラム８２ａは、ユーザによる操作入力部４１のカーソルキー４１ｃの所定操作に基づいて選択された静止画像や動画像に係る画像データ５ａを再生表示する選択画像再生表示処理に係る機能を実現させるためのプログラムである。
具体的には、ユーザによる操作入力部４１のモード設定キー４１ｂの所定操作に基づいて再生表示過程記録モードに設定された状態で、画像表示部３２に表示された画像選択関連画面にてユーザによるカーソルキー４１ｃの所定操作に基づいて所望の画像データ５ａが選択されることにより、ＣＰＵ８１は、選択画像再生表示プログラム８２ａを実行して、選択された画像データ５ａを記録媒体５から読み出して再生し、当該画像データ５ａに係る画像を画像表示部３２に表示させるようになっている。
ここで、ＣＰＵ８１と画像表示部３２は、選択画像再生表示制御手段（画像再生表示制御手段）を構成している。
【００３３】
なお、選択画像再生表示処理にあっては、画像を画像表示部３２に表示させるようにしたが、これに限られるものではなく、例えば、撮像装置１０の外部の所定の表示手段（例えば、画像表示装置２０等）に表示させるようにしても良い。
【００３４】
再生表示過程記録プログラム８２ｂは、ＣＰＵ８１を再生表示過程記録手段として機能させるものである。即ち、再生表示過程記録プログラム８２ｂは選択画像再生表示処理にて再生表示される静止画像や動画像に係る画像データ５ａの再生表示過程を記録させる再生表示過程記録処理に係る機能を実現させるためのプログラムである。
具体的には、選択画像再生表示処理の実行により所望の画像データ５ａの再生表示が開始されると、ＣＰＵ８１は、再生表示過程記録プログラム８２ｂを実行して、画像データ５ａの再生表示過程として計時部６により計時される画像の再生表示時間や再生表示回数等を当該画像データ５ａの付加情報として記録させるようになっている。このとき、ＣＰＵ８１は、例えば、画像データ５ａの再生表示順にファイル名が小さい方から並ぶようにファイル名を変更するようになっている。
【００３５】
関連画面表示プログラム８２ｇは、ＣＰＵ８１を関連画面表示制御手段として機能させるものである。即ち、関連画面表示プログラム８２ｇは、ＣＰＵ８１の制御下にて、再生される画像データ５ａの選択に関連する画像選択関連画面を画像表示部３２に表示させる関連画面表示処理に係る機能を実現させるためのプログラムである。
【００３６】
再生表示過程編集プログラム８２ｃは、ＣＰＵ８１を再生表示過程編集手段として機能させるものである。即ち、再生表示過程編集プログラム８２ｃは、再生表示過程記録処理にて記録された画像データ５ａの再生表示過程を編集する再生表示過程編集処理に係る機能をＣＰＵ８１に実現させるためのプログラムである。
具体的には、例えば、ユーザによる操作入力部４１のモード設定キー４１ｂの所定操作に基づいて再生表示過程編集モードに設定されると、ＣＰＵ８１は、再生表示過程編集プログラム８２ｃを実行して、ユーザによる操作入力部４１の所定操作に基づいてスライドショー再生表示の順番を指示するファイル名を変更するようになっている。
【００３７】
また、ＣＰＵ８１は、再生表示過程編集プログラム８２ｃの実行に基づいて、スライドショーのタイトル名や画像に重畳される文字等のテキストを編集することができるようになっている。即ち、ＣＰＵ８１は、ユーザによる操作入力部４１の所定操作に基づいて所定のテキストが生成されると、当該テキストデータを静止画像データとして取り込むようになっている。
具体的には、ＣＰＵ８１は、文字画像生成手段として、画像表示装置２０に再生画像とは別に表示されるスライドショーのタイトル名（文字情報）を含むタイトル画像（図５（ａ）参照）を生成するようになっている。また、ＣＰＵ８１は、生成されたテキストが所望の再生画像の所定位置に重畳表示されるように静止画像データと再生画像データ５ａを合成するようになっている。ここで、ＣＰＵ８１は、画像表示装置２０に再生画像に重畳して表示される文字情報（図６（ａ）及び図６（ｃ）参照）を編集する文字情報編集手段として機能する。
なお、重畳テキストの位置、大きさ及び色、並びに背景色及びそのコントラスト等は適宜任意に変更することができるようになっている。
【００３８】
スライドショー再生表示プログラム８２ｄは、ＣＰＵ８１をスライドショー再生表示制御手段として機能させるものである。即ち、スライドショー再生表示プログラム８２ｄは、再生表示過程記録処理にて記録された画像データ５ａの再生表示過程に基づいて、当該画像データ５ａをスライドショー再生表示するスライドショー再生表示処理に係る機能を実現させるためのプログラムである。
具体的には、例えば、ユーザによる操作入力部４１のモード設定キー４１ｂの所定操作に基づいてスライドショー再生表示モードに設定されると、ＣＰＵ８１は、スライドショー再生表示プログラム８２ｄを実行して、記録媒体５に記録されている複数のＥｘｉｆ形式の画像データ５ａのファイル名に従って所定の順番で画像データ５ａを読み出して、当該画像データ５ａの付加情報として記録されている再生表示時間や再生表示回数に応じて再生して、外部接続端子７を介して接続される画像表示装置２０に表示するスライドショー再生表示を行うようになっている。
例えば、先ず、ＣＰＵ８１の制御下にて、スライドショーのタイトル画面としてファイル名「CIMG0001.jpg」の静止画像データが読み出されて、３秒間画像が再生され画像表示装置２０に表示される（図５（ａ）参照）。続けて、ファイル名「CIMG0002.AVI」の動画像データ５ａが読み出されて、画像が１回再生表示される（図５（ｂ）参照）。その後、ファイル名「CIMG0003.jpg」の静止画像データが読み出されて、画像が４秒間再生表示される（図５（ｃ）参照）。次に、ファイル名「CIMG0004.jpg」の再生画像の所定位置にテキスト（例えば、「新製品  Ｘ００７」等）が重畳された静止画像データが読み出されて、画像が５秒間再生表示される（図６（ａ）参照）。続けて、ファイル名「CIMG0005.AVI」の動画像データ５ａが読み出されて、画像が１回再生表示される（図６（ｂ）参照）。次に、ファイル名「CIMG0006.jpg」の再生画像の所定位置にテキスト（例えば、「注目製品」、「YX02」、「YX05」等）が重畳された静止画像データが読み出されて、画像が７秒間再生表示される（図６（ｃ）参照）。最後に、ファイル名「CIMG0007.jpg」の再生画像の所定位置にテキスト（例えば、「YX02」、「YX05」等）が重畳された静止画像データが読み出されて、画像が４秒間再生表示される（図６（ｄ）参照）。
【００３９】
なお、スライドショー再生表示処理にあっては、画像を画像表示装置２０に表示させるようにしたが、これに限られるものではなく、例えば、撮像装置１０内の所定の表示手段（例えば、画像表示部３２等）に表示させるようにしても良い。
【００４０】
また、画像表示装置２０は、例えば、撮像装置１０から出力される画像データ５ａの入力端子（図示略）を備え、当該画像データ５ａに基づいて画像を表示することができる装置であれば如何なるものであっても良い。
【００４１】
以上のように、本実施形態のプレゼンテーションシステム１００によれば、撮像装置１０は、記録媒体５に記録された複数の画像データ５ａの中から所望の画像データ５ａを選択して、当該画像データ５ａの再生表示過程を記録することができる。即ち、画像データ５ａの選択順にファイル名を小さい方から並ぶように変更して、Ｅｘｉｆ形式の画像データ５ａに付加情報として再生表示時間や再生表示回数を記録することができる。そして、撮像装置１０は、画像データ５ａの再生表示時間や再生表示回数等の再生表示過程に従ってスライドショー再生表示を行うことができる。
従って、所望の画像データ５ａのスライドショーに係る再生内容のより細かい設定を簡便に行うことができる。
【００４２】
また、再生表示過程記録処理後に再生表示過程編集処理を実行して、ファイル名の変更や、スライドショーのタイトル名や重畳テキストの編集といった画像データ５ａの再生表示過程を編集することができるので、スライドショー再生内容をより細かく設定することができ、より魅力的なプレゼンテーションを行うことができる。
【００４３】
＜変形例１＞
以下に、変形例１のプレゼンテーションシステムについて、図７並びに図８（ａ）及び（ｂ）を参照して説明する。
【００４４】
変形例１のプレゼンテーションシステムの撮像装置１１０は、例えば、再生表示過程記録処理にて、複数の画像データ５ａの記録内容を指示すると、指示されたコマンド通りの記録内容を再生表示過程データ５ｂとして記録媒体５に記録するようになっている（図７参照）。
即ち、プレゼンテーションの予行練習等にて、例えば、その間合いに合わせて画像データ５ａを選択して所定の時間再生したり、所定の画像の一部分をズーム表示したり、表示範囲を移動させたりすることにより、当該再生表示過程に係る情報が全て再生表示過程データ５ｂとして記録される。
【００４５】
ここで、再生画像のズーム表示は、例えば、ＣＰＵ８１の制御下にて、記録媒体５から読み出された画像データ５ａに基づいて画像再生された状態で、ユーザによる操作入力部４１の所定操作に基づいて画像のズーム表示が指示されると、ズーム表示制御プログラム８２ｅを実行して、再生画像を縦・横所定段階拡大することにより当該再生画像の一部分のズーム表示が行われるようになっている。
ここで、ＣＰＵ８１は、再生画像の一部分をズーム表示させるズーム表示制御手段として機能する。
【００４６】
また、表示範囲の移動は、例えば、ＣＰＵ８１の制御下にて、記録媒体５から読み出された画像データ５ａに基づいて画像再生された状態で、ユーザによる操作入力部４１の所定操作に基づいて画像表示範囲の移動が指示されると、プログラムメモリから読み出した所定の表示制御プログラムを実行して、再生画像の表示範囲を縦・横所定方向に所定画素ずつ移動させることにより画像表示範囲を移動が行われるようになっている。
【００４７】
なお、再生表示過程データ５ｂとしては、例えば、図８（ａ）に示すように、再生する画像の選択に係る「画像選択」、画像の再生時間の記録に係る「再生時間記録」、画像のズーム表示に係る「ズーム」、画像の表示の移動に係る「表示範囲移動」等の所定のコマンドが画像データ５ａ毎に対応付けられて記録されている。
また、例えば、所定の再生画像の所定位置にテキスト（例えば、「新製品」等）を重畳表示する場合には、図８（ｂ）に示すように、重畳されるテキストの表示に係る「文字表示」、テキストの重畳範囲（座標）の指定に係る「重畳範囲指定」、テキスト背景の指定に係る「背景指定」等が通常の再生表示過程データ５ｂに加えて記録されるようになっている。
【００４８】
さらに、変形例１に係る撮像装置１１０は、関連画面表示処理にて、画像表示部３２に画像選択関連画面の表示中は、再生表示過程記録処理における画像データ５ａの再生表示過程の記録を停止させる記録停止処理を実行するようになっている。
即ち、プログラムメモリ８２には、記録停止制御プログラム８２ｆが記録されており、当該記録停止制御プログラム８２ｆは、画像選択関連画面の表示中は、再生表示過程記録処理における画像データ５ａの再生表示過程の記録を停止させる記録停止処理に係る機能をＣＰＵ８１に実現させるためのプログラムである。ここで、ＣＰＵ８１は記録停止制御手段として機能する。
具体的には、ユーザによるカーソルキー４１ｃの所定操作に基づいて再生表示過程の記録に係る所定の画像データ５ａの選択に際して、画像選択関連画面が表示されると、ＣＰＵ８１は、記録停止制御プログラム８２ｆの実行に基づいて、再生表示過程記録処理に係る画像データ５ａの記録を停止させるようになっている。
【００４９】
従って、変形例１のプレゼンテーションシステムによれば、プレゼンテーションの予行練習等にて再生した画像データ５ａの再生内容を再生表示過程データ５ｂとしてそのまま記録することができるので、実用的なプレゼンテーションの資料をより体感的に作ることができる。
また、静止画像のズームを行う様子もそのまま記録することができるので、より実用的なプレゼンテーション資料を作ることができる。
【００５０】
さらに、画像選択関連画面の表示中は、画像データ５ａの再生表示過程の記録を停止させることができるので、プレゼンテーションに不必要な部分を記録することがなくなって、より魅力的なプレゼンテーションシステムを提供することができる。
【００５１】
＜変形例２＞
以下に、変形例２のプレゼンテーションシステム２００について、図９を参照して説明する。
図９に示すように、変形例２のプレゼンテーションシステム２００は、例えば、撮像装置２１０を遠隔操作するための遠隔操作装置２３０を備えている。
遠隔操作装置２３０は、例えば、撮像装置２１０を遠隔操作するための操作信号を赤外線で送信するリモートコントローラ２３２と、当該リモートコントローラ２３２から送信された操作信号を受信するとともに、当該操作信号に応じた所定の制御信号を所定のケーブルを介して接続された撮像装置２１０に送信する遠隔操作装置本体２３１等を備えている。
【００５２】
従って、プレゼンテーション等にて、ユーザはリモートコントローラ２３２の所定操作に基づいて撮像装置２１０を遠隔操作することができることとなって、プレゼンテーションの自由度を向上させることができる。
【００５３】
なお、本発明は、上記実施形態に限定されることなく、本発明の趣旨を逸脱しない範囲において、種々の改良並びに設計の変更を行っても良い。
例えば、再生表示過程記録処理にて記録停止処理を実行するようにしたが、これに限られるものではなく、記録停止処理を実行するか否かは適宜任意に変更することができる。
また、再生表示過程記録処理後に再生表示過程編集処理を実行するようにしたが、これに限られるものではなく、再生表示過程編集処理を実行するか否かは適宜任意に変更することができる。
【００５４】
さらに、上記実施形態では、再生画像に所定のテキストを重畳表示する場合に、テキストの静止画像データと再生画像データ５ａを合成するようにしたが、これに限られるものではなく、例えば、所定のテキストを再生画像上にＯＳＤ表示するようにしても良い。
【００５５】
また、上記実施形態では、再生表示過程編集処理にてタイトル画像や重畳テキスト等の編集を行うようにしたが、これに限られるものではなく、例えば、表やグラフ等の編集を行うようにしても良い。
さらに、再生表示過程編集処理として再生画像に所定のエフェクトを追加するエフェクト処理を実行しても良く、これによって、より魅力的なプレゼンテーションを行うことができる。
【００５６】
また、上記実施形態では、画像表示装置として、撮像手段を備える撮像装置を例示したが、これに限られるものではなく、必ずしも撮像手段を備える必要はない。
【００５７】
さらに、上記実施形態では、記録媒体５に記録された複数の画像データ５ａのうち、ユーザにより選択された画像データのみの再生表示過程を記録してスライドショー再生表示するようにしたが、これに限られるものではなく、記録媒体５に記録されている全ての画像データ５ａの再生表示過程を記録してスライドショー再生するようにしても良い。
【００５８】
加えて、上記実施形態では、選択画像再生表示制御手段、再生表示過程記録手段、スライドショー再生表示制御手段、関連画面表示制御手段、記録停止制御手段、ズーム表示制御手段、再生表示過程編集手段、文字情報編集手段、文字画像生成手段としての機能を、ＣＰＵ８１によって、所定のプログラム等が実行されることにより実現される構成としたが、これに限られるものではなく、例えば、各種機能を実現するためのロジック回路等から構成しても良い。
【図面の簡単な説明】
【００５９】
【図１】本発明を適用した一実施形態のプレゼンテーションシステムを模式的に示す図である。
【図２】図１のプレゼンテーションシステムに備わる撮像装置の概略構成を示すブロック図である。
【図３】図２の撮像装置に記録されている画像データを模式的に示す図である。
【図４】図２の撮像装置に記録されている画像データを模式的に示す図である。
【図５】図２の撮像装置によるスライドショー再生に係る画像を模式的に示す図である。
【図６】図５のスライドショー再生に係る画像の続きを模式的に示す図である。
【図７】変形例１のプレゼンテーションシステムに備わる撮像装置の概略構成を示すブロック図である。
【図８】図７の撮像装置に記録された再生表示過程データを模式的に示す図である。を模式的に示した図である。
【図９】変形例２のプレゼンテーションシステムを模式的に示す図である。
【符号の説明】
【００６０】
１００、２００  プレゼンテーションシステム
１０、１１０、２１０  撮像装置
１      撮像部（撮像手段）
３２    画像表示部
４１    操作入力部（画像選択手段）
６      計時部（再生表示時間計測手段）
８１    ＣＰＵ（選択画像再生表示制御手段、再生表示過程記録手段、スライドショー再生表示制御手段、記録停止制御手段、ズーム表示制御手段、再生表示過程編集手段、文字情報編集手段、文字画像生成手段、関連画面表示制御手段）
２０    画像表示装置
【図１】
2008085654.tif 000003
【図２】
2008085654.tif 000004
【図３】
2008085654.tif 000005
【図６】
2008085654.tif 000006
【図７】
2008085654.tif 000007
【図８】
2008085654.tif 000008
【図９】
2008085654.tif 000009
【図４】
2008085654.tif 000010
【図５】
2008085654.tif 000011